(57)【要約】【課題】不正行為の発生を認識して、直ちにその旨を報知することにより、不正行為の早期発見を実現し、不正による被害の拡大防止および不正行為の抑制を図る。【解決手段】遊技媒体貸出装置１００は、装置本体に配設された第１のアンテナ１０７を用いて、遊技媒体の貸し出しに関する有価情報が記録された可搬型ＩＣタグ２１０から有価情報を読み取る読取部４０１を利用して、遊技機Ｍに設けられた非接触ＩＣタグ２２０の所定範囲内に配設された第２のアンテナ１０８を用いて、非接触ＩＣタグ２２０から遊技機Ｍ固有の識別情報を読み取り、読み取られた識別情報、および遊技機Ｍと関連付けて予め設定されている設定情報に基づいて、識別情報の正当性を判断し、その識別情報が不当であると判断された場合、遊技機Ｍの異常を示す異常情報を出力する。【選択図】図７
2008289728.tif 000002
【特許請求の範囲】
【請求項１】
装置本体に配設された第１のアンテナを用いて、遊技媒体の貸し出しに関する有価情報が記録された可搬型ＩＣタグから前記有価情報を読み取る読取手段を備え、前記読取手段によって読み取られた有価情報に応じて前記遊技媒体の貸し出しをおこなう遊技媒体貸出装置において、
前記読取手段は、
さらに、遊技機に設けられた非接触ＩＣタグの所定範囲内に配設された第２のアンテナを用いて、前記非接触ＩＣタグから前記遊技機固有の識別情報を読み取り、
前記読取手段によって読み取られた識別情報、および前記遊技機と関連付けて予め設定されている設定情報に基づいて、前記識別情報の正当性を判断する判断手段と、
前記判断手段によって前記識別情報が不当であると判断された場合、前記遊技機の異常を示す異常情報を出力する出力手段と、
を備えることを特徴とする遊技媒体貸出装置。
【請求項２】
前記読取手段は、
前記識別情報の読み取り中に前記有価情報の読み取り要求があった場合、当該有価情報の読み取りを優先しておこなうことを特徴とする請求項１に記載の遊技媒体貸出装置。
【請求項３】
前記読取手段は、
前記有価情報の読み取りを優先しておこなった結果、当該有価情報の読み取りが完了した場合、前記識別情報の読み取りをおこなうことを特徴とする請求項２に記載の遊技媒体貸出装置。
【請求項４】
前記判断手段は、
前記読取手段による前記識別情報の読み取りが不能となったか否かを判断し、
前記出力手段は、
前記判断手段によって読み取り不能と判断された場合、前記遊技機の異常を示す異常情報を出力することを特徴とする請求項１〜３のいずれか一つに記載の遊技媒体貸出装置。
【請求項５】
前記判断手段は、
前記識別情報と前記設定情報とが一致するか否かを判断し、
前記出力手段は、
前記判断手段によって前記識別情報と前記設定情報とが一致しないと判断された場合、前記遊技機の異常を示す異常情報を出力することを特徴とする請求項１〜４のいずれか一つに記載の遊技媒体貸出装置。
【請求項６】
前記出力手段は、
前記判断手段によって前記識別情報が不当であると判断された時期、または前記識別情報が読み取り不能であると判断された時期を特定するための情報を含む異常情報を出力することを特徴とする請求項４または５に記載の遊技媒体貸出装置。
【請求項７】
表示画面を有する表示手段を備え、
前記出力手段は、
前記表示手段を制御して、前記異常情報を前記表示画面に表示することを特徴とする請求項１〜６のいずれか一つに記載の遊技媒体貸出装置。
【請求項８】
可搬型ＩＣタグに記録されている遊技媒体の貸し出しに関する有価情報に応じて、前記遊技媒体の貸し出しをおこなう遊技媒体貸出装置において、
装置本体に配設された第１のアンテナを用いて、前記可搬型ＩＣタグから前記有価情報を読み取る第１の読取手段と、
遊技機に設けられた非接触ＩＣタグの所定範囲内に配設された第２のアンテナを用いて、前記非接触ＩＣタグから前記遊技機固有の識別情報を読み取る第２の読取手段と、
前記第２の読取手段によって読み取られた識別情報、および前記遊技機と関連付けて予め設定されている設定情報に基づいて、前記識別情報の正当性を判断する判断手段と、
前記判断手段によって前記識別情報が不当であると判断された場合、前記遊技機の異常を示す異常情報を出力する出力手段と、
を備えることを特徴とする遊技媒体貸出装置。
【請求項９】
可搬型ＩＣタグに記録されている遊技媒体の貸し出しに関する有価情報に応じて、前記遊技媒体の貸し出しをおこなう遊技媒体貸出装置によって遊技機の異常を検知する異常検知方法であって、
装置本体に配設された第１のアンテナを用いて前記可搬型ＩＣタグから前記有価情報を読み取る読取手段により、前記遊技機に設けられた非接触ＩＣタグの所定範囲内に配設された第２のアンテナを用いて、前記非接触ＩＣタグから前記遊技機固有の識別情報を読み取る読取工程と、
前記読取工程によって読み取られた識別情報、および前記遊技機と関連付けて予め設定されている設定情報に基づいて、前記識別情報の正当性を判断する判断工程と、
前記判断工程によって前記識別情報が不当であると判断された場合、前記遊技機の異常を示す異常情報を出力する出力工程と、
を含んだことを特徴とする異常検知方法。
【請求項１０】
請求項９に記載の異常検知方法をコンピュータに実行させることを特徴とする異常検知プログラム。
【発明の詳細な説明】
【技術分野】
【０００１】
この発明は、遊技機に対する不正行為を監視する遊技媒体貸出装置、異常検知方法、および異常検知プログラムに関する。
【背景技術】
【０００２】
従来より、パチンコ遊技機やスロット遊技機などの遊技機において、該遊技機を不正に改造して、遊技者が不当に遊技媒体を獲得する不正行為が後を絶たない。たとえば、遊技機の制御を司る主基板や該主基板に実装されているＲＯＭなどを不正なもの（いわゆる、裏ロムなど）に交換して、不当に遊技媒体を獲得する不正行為がおこなわれている。
【０００３】
これにより、パチンコホールなどの遊技場を営む店舗が被る被害が甚大なものとなっており、不正行為を防ぐために、各店舗において様々な不正対策がおこなわれている。たとえば、各店舗において、不正行為を監視するために、監視カメラを設置したり、従業員の数を増やしたりする対策が講じられている。
【０００４】
また、主基板や該主基板に実装されているＲＯＭに封印紙を貼付する技術が開示されている（たとえば、下記特許文献１参照。）。これによれば、主基板を不正なものに交換する際に、正規の主基板に貼付されていた封印紙を剥がして、不正なものに貼りかえると封印紙が破れてしまうので、不正行為がおこなわれたことを把握することができる。
【０００５】
【特許文献１】特開平１０−２１６３２４号公報
【発明の開示】
【発明が解決しようとする課題】
【０００６】
しかしながら、監視カメラを設置する、あるいは、従業員の数を増やすことによって遊技場内での不正行為の監視を強化したとしても、不正行為自体の巧妙化により、監視カメラでは捉えきれなかったり、従業員が気付かない場合が多く、結果的に不正行為を十分に把握しきれていないという問題があった。
【０００７】
また、上述した特許文献１に記載の従来技術によれば、不正行為がおこなわれたか否かを確認するために、遊技機を開放して、該遊技機の内部に貼付されている封印紙を目視チェックする必要があるため、従業員の作業負担が増大してしまうという問題があった。特に、遊技機の設置台数が多い店舗（たとえば、１０００台）では、従業員による目視チェックに多大な時間や手間がかかってしまうだけでなく、チェック漏れによる不正行為の見落としが発生してしまう場合があるという問題があった。
【０００８】
さらに、営業中に封印紙の確認をおこなうには、遊技者の遊技を中断させる必要があり、遊技者に不快感を与えてしまう場合があるため、多くの場合は営業終了後に、各遊技機の封印紙を確認することとなる。このため、不正行為の発見が遅れてしまい、発見するまでの間の被害が拡大してしまうという問題があった。
【０００９】
このため、不正対策にかかる従業員の作業負担を増大させることなく、さらには、不正行為を監視するためのセキュリティ装置を新設することなく、遊技機に対する不正行為を簡単な構成かつ迅速に発見することができる技術が望まれていた。
【００１０】
この発明は、上述した従来技術による問題点を解消するため、不正行為の発生を自動的に認識して、直ちにその旨を報知することにより、不正行為の早期発見を実現し、不正による被害の拡大防止および不正行為の抑制を図ることができる遊技媒体貸出装置、異常検知方法、および異常検知プログラムを提供することを目的とする。
【課題を解決するための手段】
【００１１】
上述した課題を解決し、目的を達成するため、この発明にかかる遊技媒体貸出装置は、装置本体に配設された第１のアンテナを用いて、遊技媒体の貸し出しに関する有価情報が記録された可搬型ＩＣタグから前記有価情報を読み取る読取手段を備え、前記読取手段によって読み取られた有価情報に応じて前記遊技媒体の貸し出しをおこなう遊技媒体貸出装置において、前記読取手段により、さらに、遊技機に設けられた非接触ＩＣタグの所定範囲内に配設された第２のアンテナを用いて、前記非接触ＩＣタグから前記遊技機固有の識別情報を読み取り、読み取られた識別情報、および前記遊技機と関連付けて予め設定されている設定情報に基づいて、前記識別情報の正当性を判断し、前記識別情報が不当であると判断された場合、前記遊技機の異常を示す異常情報を出力することを特徴とする。
【００１２】
また、上記発明において、前記識別情報の読み取り中に前記有価情報の読み取り要求があった場合、当該有価情報の読み取りを優先しておこなうこととしてもよい。
【００１３】
また、上記発明において、前記有価情報の読み取りを優先しておこなった結果、当該有価情報の読み取りが完了した場合、前記識別情報の読み取りをおこなうこととしてもよい。
【００１４】
また、上記発明において、前記識別情報の読み取りが不能となったか否かを判断し、読み取り不能と判断された場合、前記遊技機の異常を示す異常情報を出力することとしてもよい。
【００１５】
また、上記発明において、前記識別情報と前記設定情報とが一致するか否かを判断し、前記識別情報と前記設定情報とが一致しないと判断された場合、前記遊技機の異常を示す異常情報を出力することとしてもよい。
【００１６】
また、上記発明において、前記識別情報が不当であると判断された時期、または前記識別情報が読み取り不能であると判断された時期を特定するための情報を含む異常情報を出力することとしてもよい。
【００１７】
また、上記発明において、表示画面を有する表示手段を制御して、前記異常情報を前記表示画面に表示することとしてもよい。
【００１８】
これらの発明によれば、遊技機に対して何らかの不正行為がおこなわれた恐れがある場合に、その遊技機の異常を示す異常情報を自動的に報知することができる。また、遊技機に対して何らかの不正行為がおこなわれた恐れがあることを示す情報、およびその発生時期を示す情報を表示画面に表示することができる。また、可搬型ＩＣタグから有価情報を読み取る機能を利用して、非接触ＩＣタグからの識別情報の読み取りをおこなうことができる。
【００１９】
また、この発明にかかる遊技媒体貸出装置は、可搬型ＩＣタグに記録されている遊技媒体の貸し出しに関する有価情報に応じて、前記遊技媒体の貸し出しをおこなう遊技媒体貸出装置において、装置本体に配設された第１のアンテナを用いて、前記可搬型ＩＣタグから前記有価情報を読み取る第１の読取手段と、遊技機に設けられた非接触ＩＣタグの所定範囲内に配設された第２のアンテナを用いて、前記非接触ＩＣタグから前記遊技機固有の識別情報を読み取る第２の読取手段と、を備え、前記第２の読取手段によって読み取られた識別情報、および前記遊技機と関連付けて予め設定されている設定情報に基づいて、前記識別情報の正当性を判断し、前記識別情報が不当であると判断された場合、前記遊技機の異常を示す異常情報を出力することを特徴とする。
【００２０】
この発明によれば、遊技機に対して何らかの不正行為がおこなわれた恐れがある場合に、その遊技機の異常を示す異常情報を自動的に報知することができる。また、可搬型ＩＣタグからの有価情報の読み取り、および非接触ＩＣタグからの識別情報の読み取りを並行しておこなうことができる。
【００２１】
また、この発明にかかる異常検知方法および異常検知プログラムは、可搬型ＩＣタグに記録されている遊技媒体の貸し出しに関する有価情報に応じて、前記遊技媒体の貸し出しをおこなう遊技媒体貸出装置によって遊技機の異常を検知する異常検知方法および異常検知プログラムであって、装置本体に配設された第１のアンテナを用いて前記可搬型ＩＣタグから前記有価情報を読み取る読取手段により、前記遊技機に設けられた非接触ＩＣタグの所定範囲内に配設された第２のアンテナを用いて、前記非接触ＩＣタグから前記遊技機固有の識別情報を読み取り、読み取られた識別情報、および前記遊技機と関連付けて予め設定されている設定情報に基づいて、前記識別情報の正当性を判断し、前記識別情報が不当であると判断された場合、前記遊技機の異常を示す異常情報を出力することを特徴とする。
【００２２】
この発明によれば、遊技機に対して何らかの不正行為がおこなわれた恐れがある場合に、その遊技機の異常を示す異常情報を自動的に報知することができる。また、可搬型ＩＣタグから有価情報を読み取る機能を利用して、非接触ＩＣタグから識別情報を読み取ることができる。
【発明の効果】
【００２３】
本発明にかかる遊技媒体貸出装置、異常検知方法、および異常検知プログラムによれば、不正行為の発生を自動的に認識して、直ちにその旨を報知することにより、不正行為の早期発見を実現し、不正による被害の拡大防止および不正行為の抑制を図ることができるという効果を奏する。
【発明を実施するための最良の形態】
【００２４】
以下に添付図面を参照して、この発明にかかる遊技媒体貸出装置、異常検知方法、および異常検知プログラムの好適な実施の形態を詳細に説明する。
【００２５】
（実施の形態１）
（遊技媒体貸出装置１００の外観）
まず、この発明の実施の形態１にかかる遊技媒体貸出装置１００の外観について説明する。図１は、遊技媒体貸出装置１００の一例を示す外観図である。図１において、遊技媒体貸出装置１００は、紙幣投入口１０１と、ディスプレイ１０２と、操作ボタン１０３と、会員カード投入口１０４と、精算コイン投入口１０５と、精算コイン返却口１０６と、第１のアンテナ１０７と、第２のアンテナ１０８と、を備えている。
【００２６】
遊技媒体貸出装置１００は、パチンコホールなどの遊技場に設置される遊技機（たとえば、パチンコ遊技機、スロット遊技機）での遊技に使用する遊技球や遊技メダルなどの遊技媒体を貸し出すコンピュータ装置である。この遊技媒体貸出装置１００は、たとえば、隣接する遊技機と一対一で設置され、該遊技機での遊技に使用する遊技媒体の貸し出しを制御する。
【００２７】
また、遊技媒体貸出装置１００は、遊技機に対して不正行為がおこなわれた場合に、遊技機の異常を検知して、その旨を報知する機能を有している。ここで、遊技機に対する不正行為とは、たとえば、遊技機の制御を司る主基板や該主基板に実装されているＲＯＭを不正改造したり、不正なもの（いわゆる、裏ロムなど）に交換して、不当に遊技媒体を獲得する行為などである。
【００２８】
紙幣投入口１０１は、遊技媒体の借り入れ時に投入される紙幣を受け付ける。ディスプレイ１０２は、紙幣投入口１０１に投入された紙幣の投入金額や遊技機の異常を示す異常情報などを表示する。操作ボタン１０３は、機能設定に関する各種の入力や遊技者による暗証番号の入力などを受け付ける。
【００２９】
会員カード投入口１０４は、遊技場の会員に対して発行される会員カード（図２に示す会員カード２１０ａ）の投入を受け付け、また、投入された会員カードの返却をおこなう。精算コイン投入口１０５は、たとえば、会員以外の遊技者、いわゆるビジターである遊技者が使用する精算コイン（図２に示す精算コイン２１０ｂ）の投入を受け付ける。精算コイン返却口１０６は、遊技終了時などに、残額のある精算コインを返却する。
【００３０】
第１のアンテナ１０７は、装置内部における、会員カード投入口１０４と精算コイン投入口１０５との間に配設されており、後述する読取部４０１（図４参照）に接続されている。この第１のアンテナ１０７は、会員カード投入口１０４に投入された会員カード、および精算コイン投入口１０５に投入された精算コインからの電波を受信する機能を有している。
【００３１】
第２のアンテナ１０８は、装置本体に配線されており、読取部４０１（図４参照）に接続されている。この第２のアンテナ１０８は、遊技機内部の部品に貼付された非接触ＩＣタグ２２０（図２−２参照）の近傍に配設され、その非接触ＩＣタグ２２０からの電波を受信する機能を有している。
【００３２】
（可搬型ＩＣタグ２１０の具体例）
つぎに、上述した会員カードおよび精算コインなど、遊技者によって任意に持ち運び可能な可搬型ＩＣタグについて説明する。図２−１は、可搬型ＩＣタグ２１０の具体例を示す説明図である。図２−１において、可搬型ＩＣタグ２１０の具体例として、遊技場の会員に対して発行される会員カード２１０ａ、およびビジターである遊技者が使用する精算コイン２１０ｂが示されている。
【００３３】
会員カード２１０ａには、会員を識別する識別情報、遊技媒体の借り入れに使用可能な金額を示す残額情報、および蓄積された遊技媒体の数量を示す数量情報（いわゆる貯玉情報）などが記録されたＩＣタグ２１１が埋め込まれている。また、精算コイン２１０ｂには、精算コイン２１０ｂを識別する識別情報や上記残額情報などが記録されたＩＣタグ２１３が埋め込まれている。
【００３４】
これら会員カード２１０ａおよび精算コイン２１０ｂは、内部に埋設されている送受信アンテナ（２１２，２１４）を介して遊技媒体貸出装置１００と非接触型の無線通信をおこなう。具体的には、たとえば、図１に示した会員カード投入口１０４に会員カード２１０ａが投入されると、会員カード２１０ａと遊技媒体貸出装置１００との間で無線通信がおこなわれ、会員カード２１０ａに対する情報の読み取り／書き込みがおこなわれる。
【００３５】
（非接触ＩＣタグ２２０の具体例）
つぎに、遊技機内部の部品などに貼付される非接触ＩＣタグ２２０の具体例について説明する。図２−２は、非接触ＩＣタグ２２０の具体例を示す説明図である。図２−２において、遊技機に設けられる非接触ＩＣタグ２２０と、この非接触ＩＣタグ２２０の近傍に配設される第２のアンテナ１０８とが示されている。
【００３６】
非接触ＩＣタグ２２０は、タグ基板２２１と、送受信アンテナ２２２と、ＩＣチップ２２３と、から構成されている。この非接触ＩＣタグ２２０は、遊技機内部の主基板や該主基板を被覆する基板ケースなどに貼付される。また、第２のアンテナ１０８は、アンテナ基板２２４と、アンテナコイル２２５と、配線ケーブル２２６と、から構成されている。この第２のアンテナ１０８は、非接触ＩＣタグ２２０の近傍に配設される。
【００３７】
非接触ＩＣタグ２２０は、近傍に配設される第２のアンテナ１０８を介して、遊技媒体貸出装置１００と非接触型の無線通信をおこなう。具体的には、非接触ＩＣタグ２２０は、タグ基板２２１上に設けられたＩＣチップ２２３の制御に従って、送受信アンテナ２２２を用いた遊技媒体貸出装置１００との無線通信をおこなう。
【００３８】
第２のアンテナ１０８は、アンテナ基板２２４上に形成されたアンテナコイル２２５を用いて、非接触ＩＣタグ２２０からの電波を受信する。この第２のアンテナ１０８によって受信された電波（後述する識別情報）は、配線ケーブル２２６を介して読取部４０１（図４参照）に入力される。
【００３９】
（遊技媒体貸出装置１００のハードウェア構成）
つぎに、遊技媒体貸出装置１００のハードウェア構成について説明する。図３は、遊技媒体貸出装置１００のハードウェア構成を示すブロック図である。図３において、遊技媒体貸出装置１００は、ＣＰＵ３０１と、ＲＯＭ３０２と、ＲＡＭ３０３と、音声Ｉ／Ｆ（インターフェース）３０４と、スピーカ３０５と、入力デバイス３０６と、映像Ｉ／Ｆ（インターフェース）３０７と、ディスプレイ３０８と、通信Ｉ／Ｆ（インターフェース）３０９と、を備えている。また、各構成部３０１〜３０９はバス３２０によってそれぞれ接続されている。
【００４０】
まず、ＣＰＵ３０１は、遊技媒体貸出装置１００の全体の制御を司る。ＲＯＭ３０２は、ブートプログラム、通信プログラム、データ解析プログラムなどのプログラムを記録している。また、ＲＡＭ３０３は、ＣＰＵ３０１のワークエリアとして使用される。
【００４１】
音声Ｉ／Ｆ３０４は、音声出力用のスピーカ３０５に接続される。スピーカ３０５からは音声が出力される。このスピーカ３０５は、たとえば、装置内部に埋設されている。また、入力デバイス３０５は、文字、数値、各種指示などの入力のための複数のキーを備えたリモコン、キーボード、マウス、タッチパネルなどが挙げられる。具体的には、図１に示した操作ボタン１０３に相当する。
【００４２】
映像Ｉ／Ｆ３０７は、ディスプレイ３０８（たとえば、図１に示したディスプレイ１０２）と接続される。映像Ｉ／Ｆ３０７は、具体的には、たとえば、ディスプレイ３０８全体の制御をおこなうグラフィックコントローラと、即時表示可能な画像情報を一時的に記録するＶＲＡＭ（Ｖｉｄｅｏ  ＲＡＭ）などのバッファメモリと、グラフィックコントローラから出力される画像データに基づいて、ディスプレイ３０８を表示制御する制御ＩＣなどによって構成される。
【００４３】
ディスプレイ３０８には、アイコン、カーソル、メニュー、ウィンドウ、あるいは文字や画像などの各種データが表示される。このディスプレイ３０８は、たとえば、ＣＲＴ、ＴＦＴ液晶ディスプレイ、プラズマディスプレイなどを採用することができる。通信Ｉ／Ｆ３０９は、ネットワークに接続され、ＣＰＵ３０１とのインターフェースとして機能する。
【００４４】
（遊技媒体貸出装置１００の機能的構成）
つぎに、この発明の実施の形態１にかかる遊技媒体貸出装置１００の機能的構成について説明する。図４は、この発明の実施の形態１にかかる遊技媒体貸出装置１００の機能的構成を示すブロック図である。図４において、遊技媒体貸出装置１００は、第１のアンテナ１０７と、第２のアンテナ１０８と、非接触ＩＣタグ２２０と、読取部４０１と、判断部４０２と、出力部４０３と、表示部４０４と、から構成されている。
【００４５】
遊技媒体貸出装置１００は、遊技媒体の貸し出しに関する信号を遊技機Ｍに送信する機能を有する。遊技機Ｍは、パチンコホールなどの遊技場に設置されるパチンコ遊技機やスロット遊技機などの電子機器である。また、遊技媒体とは、遊技機Ｍでの遊技に使用する遊技球や遊技メダルなどである。
【００４６】
読取部４０１は、装置本体に配設された第１のアンテナ１０７を用いて、遊技媒体の貸し出しに関する有価情報が記録された可搬型ＩＣタグ２１０から該有価情報を読み取る機能を有する。可搬型ＩＣタグ２１０は、電磁誘導または電波を利用して非接触型の無線通信が可能な記録媒体である。具体的には、たとえば、可搬型ＩＣタグ２１０は、図２に示した会員カード２１０ａや精算コイン２１０ｂである。
【００４７】
また、可搬型ＩＣタグ２１０には、有価価値が付与された有価情報が記録されている。この有価情報には、たとえば、可搬型ＩＣタグ２１０を識別する識別情報、遊技媒体の借り入れに使用可能な金額を示す残額情報、および蓄積された遊技媒体の数量を示す数量情報（いわゆる貯玉情報）などが含まれている。
【００４８】
第１のアンテナ１０７は、装置内部（または筐体表面）に配設されており、近接または接触する可搬型ＩＣタグ２１０から有価情報を受信する。より具体的には、たとえば、第１のアンテナ１０７は、可搬型ＩＣタグ２１０を投入する投入口（図１に示した会員カード投入口１０４、精算コイン投入口１０５）の近傍に配設され、投入口に投入された可搬型ＩＣタグ２１０からの電波（有価情報）を受信する。
【００４９】
この第１のアンテナ１０７によって受信された有価情報は読取部４０１に入力されて読み取られる。そして、遊技媒体貸出装置１００は、読取部４０１によって読み取られた有価情報（たとえば、残額情報）に応じて遊技媒体の貸し出しをおこなう。
【００５０】
また、読取部４０１は、遊技機Ｍに設けられた非接触ＩＣタグ２２０の所定範囲内に配設された第２のアンテナ１０８を用いて、非接触ＩＣタグ２２０から遊技機Ｍ固有の識別情報を読み取る機能を有する。非接触ＩＣタグ２２０は、電磁誘導または電波を利用して非接触型の無線通信をおこなうＩＣタグである。
【００５１】
この非接触ＩＣタグ２２０は、たとえば、遊技機Ｍの制御を司る主基板、該主基板に実装されているＲＯＭ、該主基板を被覆する基板ケースなどに貼付される。また、非接触ＩＣタグ２２０には、遊技機Ｍ固有の識別情報が記録されている。非接触ＩＣタグ２２０は、図２−２に示した送受信アンテナ２２２を介して、この識別情報を外部に発信する機能を有している。
【００５２】
ここで、識別情報とは、非接触ＩＣタグ２２０に一意的に割り当てられた情報であり、たとえば、遊技機Ｍを識別するための遊技機ＩＤ、遊技場を識別するための遊技場ＩＤ、および遊技機Ｍの製造業者を特定するための業者ＩＤなどを含む情報である。
【００５３】
第２のアンテナ１０８は、読取部４０１に配線されており、その配線（図２−２に示した配線ケーブル２２６）の長さに応じて任意の位置に配設可能な構成となっている。この第２のアンテナ１０８は、遊技機Ｍに設けられた非接触ＩＣタグ２２０の所定範囲内に配設され、その非接触ＩＣタグ２２０からの電波（識別情報）を受信する。第２のアンテナ１０８によって受信された識別情報は読取部４０１に入力されて読み取られる。
【００５４】
具体的には、たとえば、遊技機Ｍを遊技場内に設置する際（いわゆる、新台入替時）に、遊技場の管理者などにより、不正行為がおこなわれる恐れのある遊技機Ｍの部品に非接触ＩＣタグ２２０を貼付し、さらに、その非接触ＩＣタグ２２０の所定範囲内に第２のアンテナ１０８を配設する。これにより、読取部４０１は、第２のアンテナ１０８を用いて、非接触ＩＣタグ２２０からの識別情報を読み取ることができる。
【００５５】
本実施の形態１では、可搬型ＩＣタグ２１０からの有価情報の読み取り、および非接触ＩＣタグ２２０からの識別情報の読み取りを読取部４０１が兼用しておこなうため、これらの読取処理が競合してしまう場合がある。そこで、読取処理の競合が発生した場合、以下に示す手順で有価情報および識別情報の読み取りをおこなうこととしてもよい。
【００５６】
まず、有価情報または識別情報のいずれか一方の読み取り中に、もう一方の読み取り要求があった場合には、読み取り中の情報の読み取りが完了したあとに、読み取り要求があった情報の読み取りを開始することとしてもよい。たとえば、有価情報の読取処理を実行中に、識別情報の読み取り要求があった場合、有価情報の読取処理が完了したあとに、識別情報の読取処理を実行する。
【００５７】
また、予め設定されている読取処理に関する優先度に基づいて、有価情報または識別情報のいずれか一方の読取処理を優先しておこなうこととしてもよい。このとき、優先度に基づく割り込みが発生して途中で中断された読取処理は、優先して実行される読取処理が完了したあとに、自動的に再実行されることとしてもよい。なお、読取処理に関する優先度は、たとえば、図１に示した操作ボタン１０３などの入力デバイス３０６をユーザが操作することで任意に設定可能である。
【００５８】
たとえば、有価情報の読取処理の優先度が識別情報の読取処理の優先度よりも高く設定されているとする。このとき、読取部４０１は、非接触ＩＣタグ２２０からの識別情報の読み取り中に、可搬型ＩＣタグ２１０からの有価情報の読み取り要求があった場合、有価情報の読み取りを優先しておこなう。そして、有価情報の読み取りを優先しておこなった結果、該有価情報の読み取りが完了すると、非接触ＩＣタグ２２０からの識別情報の読み取りをおこなう。
【００５９】
また、識別情報の読み取り要求と有価情報の読み取り要求とが同時に発生した場合にも、上述したように、有価情報の読み取りを優先しておこない、そのあと、識別情報の読み取りをおこなうこととなる。ここで、有価情報の読み取り要求とは、たとえば、可搬型ＩＣタグ２１０からの読み取り要求信号であってもよく、また、図１に示した会員カード投入口１０４や精算コイン投入口１０５に可搬型ＩＣタグ２１０が投入されたことを検知するセンサからの検知信号であってもよい。また、識別情報の読み取り要求とは、たとえば、非接触ＩＣタグ２２０からの読み取り要求信号であってもよく、また、予め設定された期間ごとに読取部４０１に入力される要求信号であってもよい。
【００６０】
ここで、読取部４０１による読取処理の具体例について説明する。読取部４０１の機能を実現する基板には、たとえば、読み取り対象を切り替えるスイッチが設けられている。読取部４０１は、読み取り対象に応じてスイッチを制御することにより、可搬型ＩＣタグ２１０からの有価情報または非接触ＩＣタグ２２０からの識別情報を読み取る。
【００６１】
より具体的には、たとえば、読取部４０１は、読取処理の競合が発生した場合、予め設定されている優先度に基づいて、読み取り対象となる情報を判断して、スイッチを制御する。さらに、優先して読み取られる情報の読取処理が完了すると、スイッチを制御して、読み取り対象をもう一方の情報に切り替えて読取処理を実行する。
【００６２】
これにより、読取部４０１によって有価情報および識別情報を漏らすことなく読み取ることができる。このように、可搬型ＩＣタグ２１０から有価情報を読み取る機能（読取部４０１）を利用して、非接触ＩＣタグ２２０からの識別情報の読み取りをおこなうことができる。このため、有価情報および識別情報を読み取るための機能部をそれぞれ設ける必要がなく、遊技媒体貸出装置１００の構成を簡素化することができる。
【００６３】
判断部４０２は、読取部４０１によって読み取られた識別情報、および遊技機Ｍと関連付けて予め設定されている設定情報に基づいて、識別情報の正当性を判断する機能を有する。この設定情報は、遊技機Ｍに設けられた非接触ＩＣタグ２２０に記録されている識別情報と関連付けて、予め設定されている情報であり、ＲＯＭ３０２やＲＡＭ３０３などのメモリに記憶されている。
【００６４】
具体的には、設定情報は、読取部４０１によって読み取られた識別情報の正当性を判断可能な情報であればよく、たとえば、正当な識別情報（正規の非接触ＩＣタグ２２０に記録されている識別情報）を含む情報である。より具体的には、たとえば、識別情報に含まれている遊技機ＩＤ、遊技場ＩＤおよび業者ＩＤと同一の遊技機ＩＤ、遊技場ＩＤおよび業者ＩＤなどを含む情報である。
【００６５】
判断部４０２は、この設定情報をメモリから読み出して、読取部４０１によって読み取られた識別情報と設定情報との同一性を照合することにより、その識別情報の正当性を判断する。たとえば、遊技機Ｍの制御を司る主基板や該主基板に実装されているＲＯＭを不正改造したり、不正なもの（いわゆる、裏ロムなど）に交換する不正行為がおこなわれる際に、非接触ＩＣタグ２２０に不当な識別情報が書き込まれたり、別のＩＣタグに取り替えられてしまう場合がある。そこで、読み取られた識別情報の正当性を判断することにより、遊技機Ｍに対して何らかの不正行為がおこなわれていないかを監視する。
【００６６】
具体的には、たとえば、識別情報および設定情報に、遊技機Ｍを識別するための遊技機ＩＤがそれぞれ含まれている場合、判断部４０２は、それらの遊技機ＩＤを照合することにより、識別情報の正当性を判断する。より具体的には、読取部４０１によって読み取られた識別情報に含まれる遊技機ＩＤと、予め設定されている設定情報に含まれる遊技機ＩＤとを比較し、一致した場合に、識別情報が正当であると判断する。一方、非接触ＩＣタグ２２０が不正に取り替えられるなどして、識別情報に含まれる遊技機ＩＤと設定情報に含まれる遊技機ＩＤとが一致しなかった場合に、識別情報が不当であると判断する。
【００６７】
なお、設定情報は、非接触ＩＣタグ２２０に記録される識別情報と関連付けて、上位のコンピュータ装置（たとえば、遊技機Ｍの売上情報を管理するコンピュータ装置）から一意的に割り当てられることとしてもよい。この場合、遊技媒体貸出装置１００は、上位のコンピュータ装置から送信されてくる設定情報を、遊技機Ｍと関連付けて、自装置固有の設定情報として設定する。このように、遊技媒体貸出装置１００に対する設定情報の割り当て、および設定情報の設定を自動化することにより、設定情報の設定にかかる作業負担を軽減することができる。
【００６８】
また、遊技場内の各遊技媒体貸出装置１００にどのように設定情報を割り当てるのかは、たとえば、各遊技媒体貸出装置１００と直接接続されている遊技機Ｍの遊技場内での設置位置を示す配置表をもとにおこなうこととしてもよい。また、遊技場の管理者や従業員による不正行為を考慮して、信頼できる第三者機関から提供される設定情報の割当表をもとにおこなうこととしてもよい。
【００６９】
出力部４０３は、判断部４０２によって識別情報が不当であると判断された場合、遊技機Ｍの異常を示す異常情報を出力する機能を有する。遊技機Ｍの異常を示す異常情報とは、遊技機Ｍに対して何らかの不正行為がおこなわれた恐れがあることを外部に報知するための情報である。異常情報は、ＲＯＭ３０２やＲＡＭ３０３などのメモリに予めテンプレートとして記憶されていてもよい。
【００７０】
また、異常情報には、遊技場内における遊技機Ｍと他の遊技機Ｍとを区別（遊技場内での位置など）するための遊技台番号をあらわす情報や、判断部４０２によって識別情報が不当であると判断された時期（日時）を特定するための情報などが含まれていてもよい。
【００７１】
具体的には、出力部４０３は、識別情報が不当であると判断された場合、異常情報をメモリから読み出して、その異常情報を出力する。このとき、遊技台番号をあらわす情報（ＲＯＭ３０２やＲＡＭ３０３などのメモリに記憶されている）を異常情報に付加することとしてもよく、また、識別情報が不当であると判断された日時情報をタイムスタンプとして異常情報に付加することとしてもよい。
【００７２】
また、判断部４０２は、読取部４０１による識別情報の読み取りが不能となったか否かを判断する機能を有する。具体的には、たとえば、不正行為がおこなわれる際に、第２のアンテナ１０８が取り外されたり、遊技機Ｍに設けられている非接触ＩＣタグ２２０が剥がされたり、第２のアンテナ１０８の配線が切断された場合などに、読み取り不能と判断する。
【００７３】
このとき、判断部４０２は、読取部４０１による識別情報の読み取りが所定期間継続（たとえば、数秒間）して不能となった場合に、識別情報の読み取り不能を判断することとしてもよい。たとえば、読取処理の競合が発生し、有価情報の読取処理が優先して実行された場合、一時的に識別情報の読み取りが不能となる状況が発生する。
【００７４】
このため、読取処理の競合による一時的な読み取り不能を考慮して、識別情報の読み取りが所定期間継続して不能となった場合に、識別情報の読み取り不能を判断することとしてもよい。また、識別情報の読み取りが不能となったか否かを所定期間（たとえば、数秒）ごとに判断し、所定回数（たとえば、３回）連続して読み取り不能と判断された場合に、識別情報の読み取り不能を判断することとしてもよい。
【００７５】
出力部４０３は、判断部４０２によって読み取り不能と判断された場合、遊技機Ｍの異常を示す異常情報を出力することとしてもよい。すなわち、遊技機Ｍに対して何らかの不正行為がおこなわれた結果、読取部４０１による識別情報の読み取りが不能となった場合に、遊技機Ｍの異常を示す異常情報を出力することとなる。このとき、出力部４０３は、判断部４０２によって識別情報が読み取り不能であると判断された時期を特定するための情報を含む異常情報を出力することとしてもよい。
【００７６】
また、出力部４０３は、表示画面（たとえば、図１に示したディスプレイ１０２）を有する表示部４０４を制御して、遊技機Ｍの異常を示す異常情報を表示画面に表示することとしてもよい。なお、出力部４０３による出力形式は、ランプ（不図示）による点灯または点滅、ディスプレイ１０２での画面表示、外部のプリンタでの印刷出力、メモリへのデータ出力（保存）、外部のコンピュータ装置への送信のいずれであってもよい。
【００７７】
より具体的には、たとえば、遊技機Ｍの異常を示す異常情報を遊技場の管理者の携帯電話端末に送信してもよく、また、警備会社の端末装置に送信することとしてもよい。さらに、遊技機Ｍに付設されたテレビ画面に異常情報を表示することとしてもよく、また、遊技機Ｍ上部などに設置され、遊技機Ｍの大当たり回数や回転数などを表示するデータカウンターに異常情報を表示することとしてもよい。
【００７８】
また、遊技場内に設置されている遊技機Ｍの売上情報などを管理するコンピュータ装置（ホールコンピュータ）に異常情報を通知することとしてもよい。この結果、ホールコンピュータの表示画面に異常情報が表示され、遊技場の管理者などに遊技機Ｍの異常を報知することができる。これにより、遊技場の管理者は、遊技機Ｍに対して何らかの不正行為がおこなわれた恐れがあることを迅速に把握することができる。
【００７９】
また、信頼できる第三者機関のコンピュータ装置に異常情報を通知することとしてもよい。この結果、第三者機関のコンピュータ装置の表示画面に異常情報が表示され、第三者機関のユーザに遊技機Ｍの異常を報知することができる。これにより、第三者機関のユーザは、遊技機Ｍに対して何らかの不正行為がおこなわれた恐れがあることを迅速に把握することができる。このように、信頼できる第三者機関により、遊技場に関する不正を監視することによって遊技場の管理者や従業員などによる不正行為を考慮した包括的な不正対策を実現することができる。
【００８０】
ここで、ディスプレイ１０２に表示される出力画面について説明する。図５は、ディスプレイに表示される出力画面の一例を示す説明図である。図５において、ディスプレイ１０２には、遊技台番号「００７」の遊技機Ｍが異常であることを示す異常情報５００が表示されている。具体的には、遊技場内に設置されている遊技台番号「００７」の遊技機Ｍに対して何らかの不正行為がおこなわれた恐れがあることを示すメッセージ「異常発生！」と、その発生日時「４月１２日１６時０３分」と、が表示されている。
【００８１】
このように、読取部４０１によって読み取られた識別情報（非接触ＩＣタグ２２０に記録されている識別情報）が不当であった場合、あるいは、その識別情報が読み取り不能となった場合には、遊技機Ｍに対して何らかの不正行為がおこなわれた恐れがあると判断して、遊技機Ｍの異常を示す異常情報５００をディスプレイ１０２に表示することができる。
【００８２】
この結果、遊技場の従業員や周りの遊技者が遊技機Ｍの異常に気付くこととなり、不正行為の早期発見および不正行為の抑制を図ることができる。さらに、異常情報５００に含まれる日時情報から、遊技機Ｍに対して不正行為がおこなわれた恐れがある日時を特定することができる。これにより、不正行為が営業中におこなわれたのか、あるいは、営業終了後におこなわれたのかを判断することができ、不正行為をおこなった人物の特定などに役立てることができる。
【００８３】
なお、判断部４０２による判断処理は、所定の時間間隔でおこなわれてもよく、また、予め設定された時刻（たとえば、営業開始時刻、営業終了時刻など）におこなわれることとしてもよい。さらに、遊技場の管理者などの操作入力により、任意のタイミングでおこなうこととしてもよい。
【００８４】
また、判断部４０２による判断処理がおこなわれる時間間隔が短ければ短いほど、不正行為の迅速な発見につながる。このため、非接触ＩＣタグ２２０による識別情報の発信、読取部４０１による識別情報の読み取り、および判断部４０２による正当性の判断を繰り返し連続的におこなうことにより、不正行為の監視を常時おこなうこととしてもよい。
【００８５】
また、識別情報および設定情報の内容は、任意に更新可能としてもよい。具体的には、たとえば、新台入替時などに、識別情報および設定情報の内容を最新のものに更新することができる。これらの内容は、たとえば、遊技場の管理者によって任意に更新可能とすることとしてもよく、また、遊技場の従業員による不正行為を考慮して、遊技機Ｍの製造業者などによる更新のみを可能とすることとしてもよい。
【００８６】
また、判断部４０２によって識別情報が不当であると判断された場合、あるいは、識別情報の読み取りが不能であると判断された場合、遊技機Ｍでの遊技を不能とすることとしてもよい。具体的には、たとえば、遊技媒体貸出装置１００と遊技機Ｍとが正常に接続されていない場合に遊技機Ｍにおける遊技媒体（遊技球）の発射を強制的に不能とする機能を利用して、遊技機Ｍでの遊技を禁止することとしてもよい。
【００８７】
このように、遊技機Ｍに対して何らかの不正行為がおこなわれた恐れがある場合に、その遊技機Ｍでの遊技を不能とすることにより、不正な遊技者による不当な遊技媒体の獲得を未然に防ぐことができ、不正行為による被害の拡大を抑えることができる。
【００８８】
（遊技媒体貸出装置１００の各種処理手順）
つぎに、遊技媒体貸出装置１００の各種処理手順について説明する。まず、この発明の実施の形態１にかかる遊技媒体貸出装置１００の読取処理手順について説明する。図６は、この発明の実施の形態１にかかる遊技媒体貸出装置１００の読取処理手順を示すシーケンス図である。
【００８９】
ここでは、有価情報および識別情報の読み取り要求は、可搬型ＩＣタグ２１０および非接触ＩＣタグ２２０からそれぞれ発信されることとする。なお、これらの読み取り要求は、たとえば、図１に示した会員カード投入口１０４や精算コイン投入口１０５に可搬型ＩＣタグ２１０が投入されたことを検知するセンサからの検知信号であってもよく、また、予め設定されている期間ごとに識別情報の読み取り要求が読取部４０１に入力されることとしてもよい。
【００９０】
図６において、まず、非接触ＩＣタグ２２０から識別情報の読み取り要求があった場合（１）、読取部４０１により、非接触ＩＣタグ２２０の所定範囲内に配設された第２のアンテナ１０８を用いて、非接触ＩＣタグ２２０から遊技機Ｍ固有の識別情報を読み取る（２）。読取部４０１によって読み取られた識別情報は判断部４０２に入力される。
【００９１】
この識別情報の読取処理は所定期間ごとに連続しておこなわれる。具体的には、識別情報の読み取り要求があってから所定期間経過すると、再び非接触ＩＣタグ２２０から識別情報の読み取り要求が発信される（３）。そして、読取部４０１により、非接触ＩＣタグ２２０から遊技機Ｍ固有の識別情報を読み取る（４）。
【００９２】
つぎに、非接触ＩＣタグ２２０からの識別情報の読み取り要求（５）と、可搬型ＩＣタグ２１０からの有価情報の読み取り要求（６）とが競合した場合、読取部４０１により、装置本体に配設された第１のアンテナ１０７を用いて、可搬型ＩＣタグ２１０から遊技媒体の貸し出しに関する有価情報を優先して読み取る（７）。
【００９３】
具体的には、たとえば、識別情報の読み取り要求と有価情報の読み取り要求とが同時に発生した場合、または識別情報の読み取り中に有価情報の読み取り要求が発生した場合には、可搬型ＩＣタグ２１０からの有価情報の読み取りを優先しておこなう。より具体的には、上述したスイッチを制御して、読み取り対象を識別情報から有価情報に切り替える。
【００９４】
ここで、有価情報の読み取りが優先しておこなわれた結果、可搬型ＩＣタグ２１０からの有価情報の読み取りが完了した場合、読取部４０１により、（５）における識別情報の読み取り要求に応じて、非接触ＩＣタグ２２０から識別情報を読み取る（８）。より具体的には、上述したスイッチを制御して、読み取り対象を有価情報から識別情報に切り替える。
【００９５】
このように、読み取り要求の競合が発生した場合には、予め設定されている優先度に基づいて、有価情報および識別情報の読み取りを順次おこなうことにより、有価情報および識別情報の読み取り漏れを防止することができる。さらに、読取部４０１によって有価情報および識別情報の双方を読み取ることができるため、遊技媒体貸出装置１００の構成を簡素化することができる。
【００９６】
なお、図６においては、有価情報を優先して読み取ることとしたが、識別情報を優先して読み取ることとしてもよい。この場合、（７）において、読取部４０１により、非接触ＩＣタグ２２０から識別情報を読み取り、このあと、（８）において、読取部４０１により、可搬型ＩＣタグ２１０から有価情報を読み取ることとなる。
【００９７】
つぎに、読取部４０１によって読み取られた識別情報を用いて、遊技機Ｍの異常を検知する異常検知処理手順について説明する。図７は、遊技媒体貸出装置１００の異常検知処理手順を示すフローチャートである。図７のフローチャートにおいて、まず、読取部４０１による識別情報の読取処理を実行する（ステップＳ７０１）。具体的には、たとえば、図６に示した手順に従って識別情報の読み取りをおこなう。
【００９８】
つぎに、判断部４０２により、読取部４０１による識別情報の読み取りが不能となったか否かを判断する（ステップＳ７０２）。具体的には、たとえば、所定期間継続して識別情報の読み取りが不能となった場合、あるいは、所定回数連続して識別情報の読み取りが不能となった場合に、識別情報の読み取り不能を判断する。
【００９９】
ここで、識別情報の読み取りが可能であった場合（ステップＳ７０２：Ｎｏ）、判断部４０２により、読取部４０１によって読み取られた識別情報、および遊技機Ｍと関連付けて予め設定されている設定情報に基づいて、識別情報が正当であるか否かを判断する（ステップＳ７０３）。
【０１００】
そして、識別情報が不当であると判断された場合（ステップＳ７０３：Ｎｏ）、出力部４０３により、遊技機Ｍの異常を示す異常情報を出力して（ステップＳ７０４）、本フローチャートによる一連の処理を終了する。一方、ステップＳ７０３において、識別情報が正当であると判断された場合（ステップＳ７０３：Ｙｅｓ）、ステップＳ８０１に戻り、一連の処理を繰り返す。
【０１０１】
また、ステップＳ７０２において、識別情報の読み取りが不能であった場合（ステップＳ７０２：Ｙｅｓ）、出力部４０３により、遊技機Ｍの異常を示す異常情報を出力して（ステップＳ７０４）、本フローチャートによる一連の処理を終了する。
【０１０２】
以上説明した、この発明の実施の形態１にかかる遊技媒体貸出装置１００によれば、非接触ＩＣタグ２２０からの識別情報を読み取り、その識別情報の正当性を判断することにより、遊技機Ｍに対する不正行為を監視することができる。具体的には、読み取られた識別情報が不当であった場合、あるいは、識別情報の読み取りが不能となった場合に、遊技機Ｍに対して何らかの不正行為がおこなわれた恐れがあると判断して、遊技機Ｍの異常を示す異常情報を出力することができる。
【０１０３】
また、遊技媒体貸出装置１００は、遊技媒体の貸し出しに関する信号を遊技機Ｍに送信する機能を有するコンピュータ装置に、遊技機Ｍの異常を検知する機能を追加した構成となっている。また、可搬型ＩＣタグ２１０から有価情報を読み取る機能（読取部４０１）を利用して、非接触ＩＣタグ２２０からの識別情報の読み取りをおこなうことができる。
【０１０４】
このように、遊技場内に既設されているコンピュータ装置（既存の遊技媒体貸出装置）に簡易な構成を追加することにより、本実施の形態１にかかる遊技媒体貸出装置１００の機能を実現することができる。このため、不正行為を監視するための装置を新設する必要がなく、不正監視にかかる設備投資を抑えることができるとともに、遊技場内における省スペース化を図ることができる。
【０１０５】
具体的には、たとえば、遊技媒体の貸し出しをおこなうコンピュータ装置における読み取り機能を有する機能部に非接触ＩＣタグ２２０からの識別情報を受信する第２のアンテナ１０８を配線する。さらに、上述した各種処理を実行するプログラムをＲＯＭ３０２やＲＡＭ３０３などのメモリに記録することにより、遊技媒体貸出装置１００の機能を実現することができる。
【０１０６】
このようにして、遊技機Ｍに対して何らかの不正行為がおこなわれた恐れがあることを自動的に判断して、その遊技機Ｍの異常を報知することにより、不正行為の迅速な発見を実現することができる。また、不正行為がおこなわれたか否かの目視チェックをおこなう際に、遊技機Ｍのフロントドアを開放して各種部品に貼付された封印紙を確認するなどの面倒な作業が不要となるため、従業員の作業負担を軽減させることができる。
【０１０７】
また、遊技者の遊技を中断させて不正行為がおこなわれたか否かの確認をおこなう必要がないため、遊技者に不快感を与えることがなく、さらには、不正行為が発生したその時点で異常情報の報知がおこなわれるため、不正な遊技者による不当な遊技媒体の獲得を未然に防ぐことができ、不正行為による被害の拡大を抑えることができる。
【０１０８】
（実施の形態２）
（遊技媒体貸出装置８００の機能的構成）
つぎに、この発明の実施の形態２にかかる遊技媒体貸出装置８００について説明する。まず、この発明の実施の形態２にかかる遊技媒体貸出装置８００の機能的構成について説明する。実施の形態２では、可搬型ＩＣタグ２１０からの有価情報の読み取りと、非接触ＩＣタグ２２０からの識別情報の読み取りとを、それぞれ異なる機能部（第１の読取部８０１、第２の読取部８０２）によって実現する。
【０１０９】
図８は、この発明の実施の形態２にかかる遊技媒体貸出装置８００の機能的構成を示すブロック図である。図８において、遊技媒体貸出装置８００は、第１のアンテナ１０７と、第２のアンテナ１０８と、非接触ＩＣタグ２２０と、第１の読取部８０１と、第２の読取部８０２と、判断部４０２と、出力部４０３と、表示部４０４と、から構成されている。なお、実施の形態１において説明した箇所と重複する箇所については、同一符号を付して詳細な説明を省略する。
【０１１０】
第１の読取部８０１は、装置本体に配設された第１のアンテナ１０７を用いて、遊技媒体の貸し出しに関する有価情報が記録された可搬型ＩＣタグ２１０から該有価情報を読み取る機能を有する。第１のアンテナ１０７は、装置内部（または筐体表面）に配設されており、近接または接触する可搬型ＩＣタグ２１０から有価情報を受信する。
【０１１１】
この第１のアンテナ１０７によって受信された有価情報は、第１の読取部８０１に入力されて読み取られる。そして、遊技媒体貸出装置８００は、第１の読取部８０１によって読み取られた有価情報に応じて遊技媒体の貸し出しをおこなう。
【０１１２】
第２の読取部８０２は、遊技機Ｍに設けられた非接触ＩＣタグ２２０の所定範囲内に配設された第２のアンテナ１０８を用いて、非接触ＩＣタグ２２０から遊技機Ｍ固有の識別情報を読み取る機能を有する。第２のアンテナ１０８は、第２の読取部８０２に配線されており、その配線の長さに応じて任意の位置に配設可能な構成となっている。第２のアンテナ１０８によって受信された識別情報は第２の読取部８０２に入力されて読み取られる。
【０１１３】
このように、有価情報を読み取る第１の読取部８０１と、識別情報を読み取る第２の読取部８０２とを個々に設けることにより、それぞれの読取処理を並行に実行することができる。また、有価情報および識別情報の読取処理の競合が発生しないため、競合の発生時にいずれか一方の情報を優先して読み取るなどのアルゴリズムが不要となる。
【０１１４】
判断部４０２は、第２の読取部８０２によって読み取られた識別情報、および遊技機Ｍと関連付けて予め設定されている設定情報に基づいて、識別情報の正当性を判断する機能を有する。出力部４０３は、判断部４０２によって識別情報が不当であると判断された場合、遊技機Ｍの異常を示す異常情報を出力する機能を有する。
【０１１５】
また、判断部４０２は、第２の読取部８０２による識別情報の読み取りが不能となったか否かを判断する機能を有する。このとき、判断部４０２は、第２の読取部８０２による識別情報の読み取りが所定期間継続（たとえば、数秒間）して不能となった場合に、識別情報の読み取り不能を判断することとしてもよい。
【０１１６】
出力部４０３は、判断部４０２によって読み取り不能と判断された場合、遊技機Ｍの異常を示す異常情報を出力することとしてもよい。また、出力部４０３は、表示画面（たとえば、図１に示したディスプレイ１０２）を有する表示部４０４を制御して、遊技機Ｍの異常を示す異常情報を表示画面に表示することとしてもよい。
【０１１７】
（遊技媒体貸出装置８００の読取処理手順）
つぎに、この発明の実施の形態２にかかる遊技媒体貸出装置８００の読取処理手順について説明する。図９は、この発明の実施の形態２にかかる遊技媒体貸出装置８００の読取処理手順を示すシーケンス図である。
【０１１８】
図９において、まず、非接触ＩＣタグ２２０から識別情報の読み取り要求があった場合（１）、第２の読取部８０２により、非接触ＩＣタグ２２０の所定範囲内に配設された第２のアンテナ１０８を用いて遊技機Ｍ固有の識別情報を読み取る（２）。
【０１１９】
このあと、識別情報の読み取り要求があってから所定期間経過して、再び非接触ＩＣタグ２２０から識別情報の読み取り要求が発信されると（３）、第２の読取部８０２により、非接触ＩＣタグ２２０から遊技機Ｍ固有の識別情報を読み取る（４）。
【０１２０】
一方で、可搬型ＩＣタグ２１０からの有価情報の読み取り要求があった場合（５）、第１の読取部８０１により、装置本体に配設された第１のアンテナ１０７を用いて、可搬型ＩＣタグ２１０から遊技媒体の貸し出しに関する有価情報を優先して読み取る（６）。
【０１２１】
なお、遊技媒体貸出装置８００の異常検知処理手順については、実施の形態１で説明した遊技媒体貸出装置１００の異常検知処理手順（図７参照）と同様のため、ここでは説明を省略する。
【０１２２】
以上説明した、この発明の実施の形態２にかかる遊技媒体貸出装置１００によれば、非接触ＩＣタグ２２０からの識別情報を検出して、その識別情報の正当性を判断することにより、遊技機Ｍに対する不正行為を監視することができる。具体的には、読み取られた識別情報が不当であった場合、あるいは、識別情報の読み取りが不能となった場合に、遊技機Ｍに対して何らかの不正行為がおこなわれた恐れがあると判断して、遊技機Ｍの異常を示す異常情報を出力することができる。
【０１２３】
また、有価情報を読み取る第１の読取部８０１と、識別情報を読み取る第２の読取部８０２とを設けることにより、それぞれの読取処理を並行に実行することができる。これにより、有価情報および識別情報を漏らすことなく、かつ、リアルタイムに読み取ることができるため、より迅速な不正行為の発見を実現することができる。
【０１２４】
以上説明したように、この発明にかかる遊技媒体貸出装置、異常検知方法、および異常検知プログラムによれば、不正行為の発生を自動的に認識して、直ちにその旨を報知することにより、不正行為の早期発見を実現し、不正による被害の拡大防止および不正行為の抑制を図ることができる。
【０１２５】
なお、本実施の形態で説明した異常検知方法は、予め用意されたプログラムをパーソナル・コンピュータやワークステーションなどのコンピュータで実行することにより実現することができる。このプログラムは、ハードディスク、フレキシブルディスク、ＣＤ−ＲＯＭ、ＭＯ、ＤＶＤなどのコンピュータで読み取り可能な記録媒体に記録され、コンピュータによって記録媒体から読み出されることによって実行される。またこのプログラムは、インターネットなどのネットワークを介して配布することが可能な伝送媒体であってもよい。
【産業上の利用可能性】
【０１２６】
以上のように、本発明にかかる遊技媒体貸出装置、異常検知方法、および異常検知プログラムは、パチンコ遊技機、スロット遊技機、その他各種遊技機の不正対策に有用であり、特に、パチンコホールやゲームセンター（プレイランド）、家庭用ゲーム機での設置、使用に適している。
【図面の簡単な説明】
【０１２７】
【図１】遊技媒体貸出装置の一例を示す外観図である。
【図２−１】可搬型ＩＣタグの具体例を示す説明図である。
【図２−２】非接触ＩＣタグの具体例を示す説明図である。
【図３】遊技媒体貸出装置のハードウェア構成を示すブロック図である。
【図４】この発明の実施の形態１にかかる遊技媒体貸出装置の機能的構成を示すブロック図である。
【図５】ディスプレイに表示される出力画面の一例を示す説明図である。
【図６】この発明の実施の形態１にかかる遊技媒体貸出装置の読取処理手順を示すシーケンス図である。
【図７】遊技媒体貸出装置の異常検知処理手順を示すフローチャートである。
【図８】この発明の実施の形態２にかかる遊技媒体貸出装置の機能的構成を示すブロック図である。
【図９】この発明の実施の形態２にかかる遊技媒体貸出装置の読取処理手順を示すシーケンス図である。
【符号の説明】
【０１２８】
１００，８００  遊技媒体貸出装置
１０１  紙幣投入口
１０２  ディスプレイ
１０３  操作ボタン
１０４  会員カード投入口
１０５  精算コイン投入口
１０６  精算コイン返却口
１０７  第１のアンテナ
１０８  第２のアンテナ
２１０  可搬型ＩＣタグ
２１０ａ  会員カード
２１０ｂ  精算コイン
４０１  読取部
４０２  判断部
４０３  出力部
４０４  表示部
５００  異常情報
８０１  第１の読取部
８０２  第２の読取部
Ｍ  遊技機
【図１】
2008289728.tif 000003
【図２−１】
2008289728.tif 000004
【図２−２】
2008289728.tif 000005
【図３】
2008289728.tif 000006
【図４】
2008289728.tif 000007
【図５】
2008289728.tif 000008
【図６】
2008289728.tif 000009
【図７】
2008289728.tif 000010
【図８】
2008289728.tif 000011
【図９】
2008289728.tif 000012